(57)【要約】【課題】機構装着空間への液体の浸入を抑え、かつネジ部材を後部に露出させることなくガード部材を容易に固定できるようにする。【解決手段】リール本体２は、釣り竿に装着可能であり、釣り糸を前方に繰り出すスピニングリール１００のリール本体２である。リール本体２は、開口２ｃを有する筐体部２ａと、蓋部材２ｂと、貫通部２５と、ガード部材２６と、ネジ部材２７と、を備える。蓋部材２ｂは、開口２ｃを塞ぐように筐体部２ａに固定され、筐体部２ａとの間に機構装着空間２ｄを形成可能である。貫通部２５は、機構装着空間２ｄを前後方向に貫通する貫通孔２５ａを有し、かつ機構装着空間２ｄに対して液密に封止される。ガード部材２６は、後部から貫通部２５に挿入可能なボス部２６ａを有し、筐体部２ａ及び蓋部材２の後部を覆う。ネジ部材２７は、前部から貫通部２５に挿入可能であり、ボス部２６ａに螺合する。【選択図】図４
2013252097.tif 000002
【特許請求の範囲】
【請求項１】
釣り竿に装着可能であり、釣り糸を前方に繰り出すスピニングリールのリール本体であって、
開口を有する筐体部と、
前記開口を塞ぐように前記筐体部に固定され、前記筐体部との間に機構装着空間を形成可能な蓋部材と、
前記機構装着空間を前後方向に貫通する貫通孔を有し、かつ前記機構装着空間に対して液密に封止される貫通部と、
後部から前記貫通孔に挿入可能なボス部を有し、前記筐体部及び前記蓋部材の後部を覆うガード部材と、
前部から前記貫通孔に挿入可能であり、前記ボス部に螺合するネジ部材と、
を備えるスピニングリールのリール本体。
【請求項２】
前記スピニングリールは、スプールと、スプールに釣り糸を巻き取るためのロータと、前記ロータを駆動するためのドライブギアと、を備え、
前記貫通部は、前記ドライブギアの軸方向において、前記ドライブギアと対向する位置に配置される、請求項１に記載のスピニングリールのリール本体。
【請求項３】
前記貫通部は、前記筐体部だけに設けられる、請求項１又は２に記載のスピニングリールのリール本体。
【請求項４】
前記筐体部は、前縁部と後縁部とを結んで前後方向に沿って延び、前記筐体部の内側面から前記蓋部材に向けて突出する突出部を有し、
前記貫通孔は、前記突出部内に前記前後方向に沿って前記前縁部と前記後縁部とを貫通して設けられる、請求項３に記載のスピニングリールのリール本体。
【請求項５】
前記貫通孔は、前部に設けられ、前記ネジ部材の頭部を挿入可能な第１部分と、後部に設けられ、前記ボス部を挿入可能な第２部分と、前記第１部分と前記第２部分との間に配置され、前記ネジ部材の軸部を挿入可能であり、前記第１部分よりも小径の第３部分と、を有する、請求項１から４のいずれか１項に記載のスピニングリールのリール本体。
【請求項６】
前記筐体部は、前記釣り竿に装着可能な釣り竿装着部を有する、請求項１から５のいずれか１項に記載のスピニングリールのリール本体。
【請求項７】
請求項１から７のいずれか１項に記載のリール本体と、
前記リール本体に前後往復移動可能に装着されるスプールと、
前記スプールに前記釣り糸を巻き付けるために前記リール本体に回転自在に支持されるロータと、
前記ロータを駆動するためのドライブギアと、
を備えるスピニングリール。
【発明の詳細な説明】
【技術分野】
【０００１】
本発明は、釣り竿に装着可能であり、釣り糸を前方に繰り出すスピニングリール及びスピニングリールのリール本体に関する。
【背景技術】
【０００２】
スピニングリールのリール本体は、開口を有する筐体部と、開口を塞ぐように筐体部に固定され、筐体部との間で機構装着空間を形成可能な蓋部材と、筐体部及び蓋部材の後部を覆うガード部材と、を備えている。ガード部材は筐体部にネジ止めされる。ガード部材を筐体部にネジ止めするためにガード部材に前方に突出するボス部を設けたリール本体が従来知られている（例えば、特許文献１参照）。従来のリール本体は、ボス部に筐体部の前部に貫通孔を設け、貫通孔とボス部との間に中間部材を配置している。中間部材は、後部がネジ部材によってボス部に固定され、かつ前部が第２ネジ部材によって貫通孔に固定されている。貫通孔は第２ネジ部材による固定後にキャップにより塞がれる。これにより、ガード部材を固定するためのネジ部材がリール本体の後部に露出することなくガード部材を容易に固定できる。
【先行技術文献】
【特許文献】
【０００３】
【特許文献１】特許第４８０４３３０号明細書
【発明の概要】
【発明が解決しようとする課題】
【０００４】
従来の構成では、ガード部材を固定するためのネジ部材がリール本体の後部に露出しないが、ガード部材を固定するために２本のネジ部材が必要になり、ガード部材の固定作業が煩雑になる。また、貫通孔にキャップ部材を装着しているが、ボス部及び第２ネジ部材とリール本体との隙間から液体が機構装着空間に浸入するおそれがある。
【０００５】
本発明の課題は、機構装着空間への液体の浸入を抑え、かつネジ部材を後部に露出させることなくガード部材を容易に固定できるようにすることにある。
【課題を解決するための手段】
【０００６】
発明１に係るスピニングリールのリール本体は、釣り竿に装着可能であり、釣り糸を前方に繰り出すスピニングリールのリール本体である。リール本体は、開口を有する筐体部と、蓋部材と、貫通部と、ガード部材と、ネジ部材と、を備える。蓋部材は、開口を塞ぐように筐体部に固定され、筐体部との間に機構装着空間を形成可能である。貫通部は、機構装着空間を前後方向に貫通する貫通孔を有し、かつ機構装着空間に対して液密に封止される。ガード部材は、後部から貫通孔に挿入可能なボス部を有し、筐体部及び蓋部材の後部を覆う。ネジ部材は、前部から貫通孔に挿入可能であり、ボス部に螺合する。
【０００７】
このリール本体では、ガード部材を筐体部に固定する場合、ガード部材のボス部を後部から貫通孔に挿入する。この状態でネジ部材を前部から貫通孔に挿入してボス部と螺合させる。これにより、ガード部材が筐体部に固定される。このとき、貫通部は機構装着空間に対して液密に封止されているので、貫通部から機構装着空間に液体が浸入しない。ここでは、機構装着空間に対して液密な貫通部の貫通孔の内部で前部から挿入された１本のネジ部材を後部から挿入されたボス部に螺合させてガード部材を筐体部に固定している。このため、機構装着空間への液体の浸入を抑え、かつネジ部材を後部に露出させることなくガード部材を容易に固定できる。
【０００８】
発明２に係るスピニングリールのリール本体は、発明１に記載のリール本体において、スピニングリールは、スプールと、スプールに釣り糸を巻き取るためのロータと、ロータを駆動するためのドライブギアと、を備える。リール本体の貫通部は、ドライブギアの軸方向において、ドライブギアと対向する位置に配置される。この場合には、貫通部とドライブギアとを軸方向に並べて配置できるので、貫通部がドライブギアに干渉しない。このため、貫通部を設けてもドライブギアの大径化を図ることができる。
【０００９】
発明３に係るスピニングリールのリール本体は、発明１又は２に記載のリール本体において、貫通部は、筐体部だけに設けられる。この場合には、貫通部が蓋部材には設けられず筐体部だけに設けられるので、別のシール部材を用いて貫通部を機構装着空間に対して液密に封止する構成が不要になる。このため、ガード部材をさらに容易に固定できる。
【００１０】
発明４に係るスピニングリールのリール本体は、発明３に記載のリール本体において、筐体部は、筐体部の内側面から蓋部材に向けて突出する突出部を有する。突出部は、前縁部へと後縁部とを結んで前後方向に沿って延びる。貫通孔は、突出部内に前後方向に沿って前縁部と後縁部とを貫通して設けられる。この場合には、筐体部内に蓋部材に向けて突出する突出部を設け、突出部内に前縁部と後縁部とを貫通する貫通孔を設けたので、貫通部の機構装着空間に対する液密構造を容易に形成できる。また、筐体部を型成形により製作する場合、突出部を設けても左右方向（ドライブ軸方向）に分割される単純な金型で筐体部を製作できる。
【００１１】
発明５に係るスピニングリールのリール本体は、発明１から４のいずれかに記載のリール本体において、貫通孔は、第１部分と第２部分と第３部分とを有する。第１部分は前部に設けられ、ネジ部材の頭部を挿入可能である。第２部分は後部に設けられ、ボス部を挿入能である。第３部分は、第１部分と第２部分との間に配置され、第１部分及び第２部分より小径である。
【００１２】
この貫通孔では、第１部分にネジ部材の頭部が挿入され、第３部分との段差によって頭部が係止される。また、第２部分にボス部が挿入される。ボス部の長さは、先端と第３部分との段差との間に隙間が形成され得る長さが好ましい。
【００１３】
発明６に係るスピニングリールのリール本体は、発明１から５のいずれかに記載のリール本体において、筐体部は、釣り竿に装着可能な釣り竿装着部を有する。この場合には、比較的剛性が高い筐体部に釣りを行っているときに釣り竿からの力が作用する釣り竿装着部が設けられるので、釣り竿装着部の強度を確保しやすい。
【００１４】
発明７に係るスピニングリールは、発明１から６のいずれかに記載のリール本体と、スプールと、ロータと、ドライブギアと、を備えている。スプールは、リール本体に前後往復移動可能に装着される。ロータは、スプールに釣り糸を巻き付けるためにリール本体に回転自在に支持される。
【００１５】
このスピニングリールでは、上記作用効果を奏するスピニングリールを得ることができる。
【発明の効果】
【００１６】
本発明によれば、機構装着空間に対して液密な貫通部の貫通孔の内部で前部から挿入された１本のネジ部材を後部から挿入されたボス部に螺合させてガード部材を筐体部に固定している。このため、機構装着空間への液体の浸入を抑え、かつネジ部材を後部に露出させることなくガード部材を容易に固定できる。
【図面の簡単な説明】
【００１７】
【図１】本発明の一実施形態によるスピニングリールの側面図。
【図２】その側面断面図
【図３】図１の切断線III−IIIによる断面図。
【図４】筐体部の拡大斜視図。
【図５】リール本体の後部の拡大側面断面図。
【発明を実施するための形態】
【００１８】
図１に示すように、本発明の一実施形態によるスピニングリール１００は、釣り糸を前方に繰り出し可能なリールある。スピニングリール１００は、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１はリール本体２の左右いずれにも装着可能である。
＜リール本体の構成＞
【００１９】
リール本体２は、図２及び図３に示すように、側部に形成される開口２ｃを内部に有する筐体部２ａと、筐体部２ａの開口２ｃを塞ぐように筐体部２ａに着脱自在に固定される蓋部材２ｂ（図３）と、を有している。蓋部材２ｂは、筐体部２ａとの間で機構装着空間２ｄを形成可能である。また、リール本体２は、筐体部２ａに設けられ貫通孔２５ａを有する貫通部２５と、筐体部２ａ及び蓋部材２ｂの後部を覆うガード部材２６と、貫通部２５貫通してガード部材２６を筐体部２ａに固定するためネジ部材２７と、を有している。
【００２０】
筐体部２ａは、たとえば、マグネシウム合金やアルミニウム合金等の軽合金製のものであり、上部に前後に延びるＴ字形の釣り竿装着部２ｅが一体形成されている。筐体部２ａの機構装着空間２ｄ内には、図２に示すように、ロータ駆動機構５と、オシレーティング機構６とが設けられている。筐体部２ａの前端には、図３、図４、及び図５に示すように、円形のフランジ部２ｆを構成する概ね半円形の第１フランジ２ｆ１と、フランジ部２ｆより小径で先端が開口する円筒部２ｇ（図４参照）とが形成されている。第１フランジ２ｆ１には、丸孔によって構成される貫通部２５が開口している。この貫通部２５は、ネジ部材２７によりガード部材２６を取り付けた後にキャップ３９により塞がれている。図３、図４及び図５に示すように、筐体部２ａは、内側面の上部に形成された突出部２８を有している。突出部２８は、蓋部材２ｂに向けて突出して形成されている。突出部２８は、筐体部２ａの前縁部と後縁部とを結んで前後方向に沿って延びている。この突出部２８に貫通部２５の貫通孔２５ａが筐体部２ａの前縁部と後縁部とを貫通して設けられている。このため、貫通部２５は、機構装着空間２ｄに対して液密に封止されている。
【００２１】
貫通孔２５ａは、図５に示すように、第１部分２５ｂと、第２部分２５ｃと、第３部分２５ｄと、を有している。第１部分２５ｂは、筐体部２ａの前部に設けられ、ネジ部材２７の頭部２７ａを挿入可能な孔である。第２部分２５ｃは、筐体部２ａの後部に設けられ、ガード部材２６の後述するボス部２６ａを挿入可能な孔である。第３部分２５ｄは、第１部分２５ｂと第２部分２５ｃとの間に配置される。第３部分２５ｄは、第１部分２５ｂよりも小径の孔であり、ネジ部材２７の軸部２７ｂを挿入可能である。第１部分２５ｂと第３部分２５ｄとの段差には、ネジ部材２７の頭部２７ａが係止される。第３部分２５ｄには、軸部２７ｂが通過して、第２部分２５ｃに至る。第２部分２５ｃには、ボス部２６ａが挿入される。ボス部２６ａの先端部は、第２部分２５ｃと第３部分２５ｄとの段差よりも後方に配置されている。
【００２２】
孔２５ａの形状に合わせて突出部２８において、図４に示すように第３部分２５ｄに対応する中間部２８ａがその両側の部分よりも小径に形成されている。これにより、突出部２８と貫通部２５との間の肉厚が均等になり、型成形時にヒケが生じにくくなり、ヒケによる貫通部２５の孔の変形を防止できる。
【００２３】
ガード部材２６は、図２及び図５に示すように、筐体部２ａ及び蓋部材２ｂを覆うように後方から装着された部材である。ガード部材２６は、リール本体２の後部の外形形状を決定している。ガード部材２６は、姿合わせのための図示しないパッキンを介して竿取付脚２ｃを含む筐体部２ａ及び蓋部材２ｂに装着される。ガード部材２６は、ネジ部材２７がネジ止め固定される棒状のボス部２６ａを有している。ボス部２６ａは、筐体部２ａの後部から貫通部２５の貫通孔２５ａに向かって突出可能に形成されている。ボス部２６ａは前述したように貫通部２５の第２部分２５ｃに挿入可能である。ボス部２６ａの中心には、ネジ部材２７がねじ込まれるネジ止め凹部２６ｂが形成されている。ネジ止め凹部２６ｂは、ボス部２６ａの軸方向の途中の位置まで延びる。
【００２４】
図４に示すように、ネジ部材２７は、頭部２７ａと、頭部２７ａより小径となるように形成され外周部に雄ネジ部が形成された軸部２７ｂとを有する部材である。この実施形態では、雌ネジ部を形成可能なタッピングビスを用いている。しかし、ネジ部材は、雌ネジ部に螺合する通常のボルトを用いてもよい。この場合、ネジ止め凹部に雌ネジ部が形成される。ネジ部材２７は、筐体部２ａの前部から貫通部２５に挿入されてガード部材２６のボス部２６ａに螺合する。これにより、ガード部材２６が筐体部２ａに固定される。
【００２５】
図１及び図３に示すように、蓋部材２ｂは、たとえば、マグネシウム合金やアルミニウム合金等の軽合金製のものである。蓋部材２ｂは、たとえば、ロータ３で隠れる前側の２箇所で図示しない２本の固定ボルトにより筐体部２ａに固定されている。前側の２本の固定ボルトは、筐体部２ａの前部に形成された図４に示す２つのネジ穴１８にねじ込まれる。また、蓋部材２ｂは、ロータ３から離反する後側の１箇所で図示しない固定ボルトにより筐体部２ａに固定されている。後側の固定ボルトは、筐体部２ａの後部に形成されたネジ孔１９にねじ込まれる。したがって、前側の２本の固定ボルトはロータ３により隠れる。また、後側の固定ボルトは、ガード部材２６によりカバーされ、したがって、蓋部材２ｂを固定するネジ部材はリール本体２の外部に露出しない。
【００２６】
蓋部材２ｂの前端には、第１フランジ２ｆ１とによってフランジ部２ｆを構成する第２フランジ２ｆ２が形成されている。
【００２７】
このリール本体２では、ガード部材２６を取り付けるためのネジ部材２７がキャップ３９により覆われている。このため、ネジ部材が外部に露出しないすっきりとした外観を得ることができる。また、ネジ部材２７が機構装着空間２ｄに対して液密に封止された貫通部２５に装着され、さらにガード部材２６のボス部２６ａも貫通部２５に配置されてネジ部材２７によって筐体部２ａに固定される。このため、機構装着空間２ｄへの液体の浸入を抑え、かつネジ部材２７を後部に露出させることなくガード部材２６を容易に固定できる。また蓋部材２ｂを筐体部２ａに固定するネジ部材もロータ３及びガード部材２６により隠れるため、それらのネジ部材も外部に露出しない。
【００２８】
＜スピニングリールのその他の構成＞
ロータ駆動機構５は、図３に示すように、ハンドル１が両端のいずれかに固定されたドライブ軸１０と、ドライブ軸１０に一体又は別体で設けられるフェースギアの形態のドライブギア１１と、ドライブギア１１に噛み合うピニオンギア１２と、を有している。ドライブ軸１０は、図３に示すように、第１軸受１６ａ及び第２軸受１６ｂによりリール本体２に回転自在に支持されている。第１軸受は、筐体部２ａに設けられた第１ボス部１７ａに装着される。第２軸受１６ｂは、蓋部材２ｂに設けられた第２ボス部１７ｂ装着される。ドライブギア１１の外周部は、ドライブ軸１０の軸方向において、筐体部２ａに形成された突出部２８と対向して配置される。言い換えれば、突出部２８は、ドライブギア１１と干渉しないように配置される。このため、突出部２８を設けてもドライブギア１１の大径化を阻害しない。このため、この実施形態のドライブギア１１は、従来のドライブギアよりも直径が大きく歯数が多い。
【００２９】
図２に示すように、ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００３０】
オシレーティング機構６は、図２及び図３に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置されたトラバースカム軸２１と、トラバースカム軸２１に沿って前後方向に移動するスライダ２２と、トラバースカム軸２１の先端に固定された中間ギア２３とを有している。スライダ２２にはスプール軸１５の後端が回転不能に固定されている。中間ギア２３はピニオンギア１２に噛み合っている。
【００３１】
ロータ３は、図２に示すように、リール本体２に対して前後方向の第１軸Ｘ回りに回転自在である。ロータ３は、ピニオンギア１２に一体回転可能に連結される。ロータ３は、ピニオンギア１２に連結される概ね筒状のロータ本体３ａと、ロータ本体３ａの両側方から延びる第１ローラアーム３ｂ及び第２ロータアーム３ｃと、を有している。また、ロータ３は、第１ロータアーム３ｂ及び第２ロータアーム３ｃに揺動可能に連結されるベールアーム４０と、を有している。ベールアーム４０は、釣り糸をスプール４に巻き取るために設けられる。
【００３２】
ロータ３は、ローラ型のワンウェイクラッチ５１を有する逆転防止機構５０により逆転禁止状態と逆転許可状態とに切り換え可能である。この切換操作は、リール本体２の下部に配置された切換レバー５２により行える。
【００３３】
スプール４は、図２に示すように、ロータ３の第１ロータアーム３ｂと第２ロータアーム３ｃとの間に配置されている。スプール４は、スプール軸１５の先端にドラグ機構６０を介して装着されている。スプール４は、外周に釣り糸が巻かれる糸巻き胴部４ａと、糸巻き胴部４ａの後方に糸巻き胴部４ａと一体形成された筒状のスカート部４ｂと、糸巻き胴部４ａの前端に設けられた大径のフランジ部４ｃとを有している。
【００３４】
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有している。
【００３５】
＜リール本体の組立手順＞
このような構成のスピニングリールでは、リール本体２内にロータ駆動機構５やオシレーティング機構６を装着するとともに、円筒部２ｇ内に逆転防止機構５０を装着する。この状態で蓋部材２ｂを筐体部２ａにかぶせて、図示しない固定ボルトにより筐体部２ａに固定する。次に、筐体部２ａ及び蓋部材２ｂの後方からガード部材２６を装着する。このとき、ガード部材２６のボス部２６ａを貫通孔２５ａの第２部分２５ｃに挿入する。そして、第１部分２５ｂからネジ部材２７を挿入し、ドライバーなどの工具を利用してネジ部材２７をボス部２６ａにネジ込み、ガード部材２６を筐体部２ａに固定する。これにより、リール本体２の組立作業が完了する。
【００３６】
ここでは、機構装着空間２ｄに対して液密な貫通部２５内で前部から挿入された１本のネジ部材２７を後部から挿入されたボス部２６ａに螺合させてガード部材２６を筐体部２ａに固定している。このため、機構装着空間２ｄへの液体の浸入を抑え、かつネジ部材２７を後部に露出させることなくガード部材２６を容易に固定できる。
【００３７】
＜特徴＞
上記実施形態は、下記のように表現可能である。
【００３８】
（Ａ）リール本体２は、釣り竿に装着可能であり、釣り糸を前方に繰り出すスピニングリール１００のリール本体２である。リール本体２は、開口２ｃを有する筐体部２ａと、蓋部材２ｂと、貫通部２５と、ガード部材２６と、ネジ部材２７と、を備える。蓋部材２ｂは、開口２ｃを塞ぐように筐体部２ａに固定され、筐体部２ａとの間に機構装着空間２ｄを形成可能である。貫通部２５は、機構装着空間２ｄを前後方向に貫通する貫通孔２５ａを有し、かつ機構装着空間２ｄに対して液密に封止される。ガード部材２６は、後部から貫通孔２５ａに挿入可能なボス部２６ａを有し、筐体部２ａ及び蓋部材２ｂの後部を覆う。ネジ部材２７は、前部から貫通孔２５ａに挿入可能であり、ボス部２６ａに螺合する。
【００３９】
このリール本体２では、ガード部材２６を筐体部２ａに固定する場合、ガード部材２６のボス部２６ａを後部から貫通孔２５ａに挿入する。この状態でネジ部材２７を前部から貫通孔２５ａに挿入してボス部２６ａと螺合させる。これにより、ガード部材２６が筐体部２ａに固定される。このとき、貫通部２５は機構装着空間２ｄに対して液密に封止されているので、貫通部２５から機構装着空間２ｄに液体が浸入しない。ここでは、機構装着空間２ｄに対して液密な貫通部２５貫通孔２５ａの内部で前部から挿入された１本のネジ部材２７を後部から挿入されたボス部２６ａに螺合させてガード部材２６を筐体部２ａに固定している。このため、機構装着空間２ｄへの液体の浸入を抑え、かつネジ部材２７を後部に露出させることなくガード部材２６を容易に固定できる。
【００４０】
（Ｂ）スピニングリール１００は、スプール４と、スプール４に釣り糸を巻き取るためのロータ３と、ロータ３を駆動するためのドライブギア１１と、を備える。リール本体２において、貫通部２５は、ドライブギア１１の軸方向において、ドライブギア１１と対向する位置に配置される。この場合には、貫通部２５とドライブギア１１とを軸方向に並べて配置できるので、貫通部２５がドライブギアに干渉しない。このため、貫通部２５を設けてもドライブギア１１の大径化を図ることができる。
【００４１】
（Ｃ）リール本体２において、貫通部２５は、筐体部２ａだけに設けられる。この場合には、貫通部２５が蓋部材２ｂには設けられず筐体部２ａだけに設けられるので、別のシール部材を用いて貫通部２５を機構装着空間２ｄに対して液密に封止する構成が不要になる。このため、ガード部材２６をさらに容易に固定できる。
【００４２】
（Ｄ）リール本体２において、筐体部２ａは、筐体部２ａの内側面から蓋部材２ｂに向けて突出する突出部２８を有する。突出部２８は、前縁部へと後縁部とを結んで前後方向に沿って延びる。貫通孔２５ａは、突出部２８内に前後方向に沿って前縁部と後縁部とを貫通して設けられる。この場合には、筐体部２ａ内に蓋部材２ｂに向けて突出する突出部２８を設け、突出部２８内に前縁部と後縁部とを貫通する貫通孔２５ａを設けたので、貫通部２５の機構装着空間２ｄに対する液密構造を容易に形成できる。また、筐体部２ａを型成形により製作する場合、突出部２８を設けても左右方向（ドライブ軸方向）に分割される単純な金型で筐体部２ａを製作できる。
【００４３】
（Ｅ）リール本体２において、貫通孔２５ａは、第１部分２５ｂと第２部分２５ｃと第３部分２５ｄとを有する。第１部分２５ｂは前部に設けられ、ネジ部材２７の頭部２７ａを挿入可能である。第２部分２５ｃは後部に設けられ、ボス部２６ａを挿入可能である。第３部分２５ｄは、第１部分２５ｂと第２部分２５ｃとの間に配置され、第１部分２５ｂ及び第２部分２５ｃより小径である。
【００４４】
この貫通孔２５ａでは、第１部分２５ｂにネジ部材２７の頭部２７ａが挿入され、第３部分２５ｄとの段差によって頭部２７ａが係止される。また、第２部分２５ｃにボス部２６ａが挿入される。ボス部２６ａの長さは、先端と第３部分２５ｄとの段差との間に隙間が形成され得る長さが好ましい。
【００４５】
（Ｆ）リール本体２において、筐体部２ａは、釣り竿に装着可能な釣り竿装着部２ｅを有する。この場合には、比較的剛性が高い筐体部２ａに釣りを行っているときに釣り竿からの力が作用する釣り竿装着部が設けられるので、釣り竿装着部の強度を確保しやすい。
【００４６】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４７】
（ａ）前記実施形態では、筐体部２ａにのみ貫通部２５を設けたが、本発明はこれに限定されない。例えば、筐体部２ａと蓋部材２ｂとに貫通部２５を設けてもよい。この場合、筐体部２ａに設けられる貫通部と、蓋部材２ｂに設けられる貫通部との間に２つの貫通部を液密に封止するシール部材を設ければよい。
【００４８】
（ｂ）前記実施形態では、突起部を筐体部の内側面から突出させたが、本発明はこれに限定されない。例えば、筐体部の内部の上面から下方に向けて突出部を形成してもよい。ただし、筐体部２ａを型成形で製作する場合は、金型の複雑化を避けるために、突出部は、蓋部材に向けて突出させるのが好ましい。
【００４９】
（ｃ）前記実施形態では、筐体部２ａに釣り竿装着部２ｅが一体形成されていたが、蓋部材２ｂに釣り竿装着部２ｅが一体形成されてもよい。
【符号の説明】
【００５０】
２    リール本体
２ａ  筐体部
２ｂ  蓋部材
２ｃ  開口
２ｄ  機構装着空間
３    ロータ
４    スプール
５    ロータ駆動機構
１１    ドライブギア
２５    貫通部
２５ａ  貫通孔
２５ｂ  第１部分
２５ｃ  第２部分
２５ｄ  第３部分
２６    ガード部材
２６ａ  ボス部
２７    ネジ部材
２７ａ  頭部
２７ｂ  軸部
２８    突出部
１００    スピニングリール
【図１】
2013252097.tif 000003
【図２】
2013252097.tif 000004
【図３】
2013252097.tif 000005
【図４】
2013252097.tif 000006
【図５】
2013252097.tif 000007